【手続補正書】
【提出日】平成16年4月23日(2004.4.23)
【手続補正１】
【補正対象書類名】明細書
【補正対象項目名】００１８
【補正方法】変更
【補正の内容】
【００１８】
このような画像読取装置１２においては、光源２０から射出され、絞り２２によって光量調整され、色フィルタ板２４を通過して色分解され、拡散ボックス２６で拡散された読取光が写真フィルムＡを透過することにより、写真フィルムＡに撮影された画像で変調された透過光が得られる。この透過光は、結像レンズ２８によって写真フィルムＡの画像の１枚（１コマ）分がＣＣＤ３０の受光面に結像され、ＣＣＤ３０によって光電的に読み取られる。ＣＣＤ３０からの出力信号は、アンプ３２で増幅され、Ａ／Ｄ変換器３４によってデジタル信号化され、ＬＵＴ３６で濃度信号とされた後、写真フィルムＡに撮影された画像の濃度変換デジタル画像信号が入力画像情報として画像処理装置１４に送られる。画像読取装置１２では、このような画像読取を、色フィルタ板２４のＲ、ＧおよびＢの色フィルタを順次光路に挿入することにより、写真フィルムＡに撮影された画像をＲ、ＧおよびＢの３原色に分解して読み取って、入力画像情報を得ることができる。なお、画像読取装置の画像読取方法は、エリアＣＣＤ３０の代わりにラインセンサを相対的に移動する方法でもよいし、ドラムスキャナのようにスポット測光する方法であってもよい。


【手続補正２】
【補正対象書類名】明細書
【補正対象項目名】００４６
【補正方法】変更
【補正の内容】
【００４６】
このようにして第３ＬＵＴ６０において階調（濃度）変換された画像信号は、信号変換器６２に入力され、信号変換器６２によってモニタ１８に対応する信号に変換された後、Ｄ／Ａ変換器６４に入力されてアナログ画像信号に変換され、モニタ１８に可視像として表示される、もしくは画像記録装置１６に入力され、画像記録装置１６において仕上がりプリント画像Ｐが可視像として出力される。
ここで、モニタ１８に表示される画像と、画像記録装置１６に送られて再生される仕上がりプリント画像は、ダイナミックレンジ圧縮伸長処理を含む各種の画像処理がノイズを増幅させることなく適切に施された全く同一の画像信号から得られたものであるので、同様のダイナミックレンジ圧縮伸長効果をもち、同様にノイズや粒状などが目立つことのない適切な高画質画像であることは言うまでもない。


【手続補正３】
【補正対象書類名】明細書
【補正対象項目名】００５２
【補正方法】変更
【補正の内容】
【００５２】
一方、感光材料Ｚはロール状に巻回されて遮光された状態で所定位置に装填されている。このような感光材料Ｚは引き出しローラ（図示省略）に引き出され、副走査手段を構成する走査位置ｚを挟んで配置される搬送ローラ対１０２ａおよび１０２ｂによって、走査位置ｚに保持されつつ主走査方向と直交する副走査方向（図中矢印ｙ方向）に副走査搬送される。光ビームは主走査方向に偏向されているので、副走査方向に搬送される感光材料Ｚは光ビームによって全面を２次元的に走査露光され、感光材料Ｚに画像処理装置１４の画像処理部４２より転送された画像情報の画像（潜像）が記録される。


【手続補正４】
【補正対象書類名】明細書
【補正対象項目名】００５５
【補正方法】変更
【補正の内容】
【００５５】
画像読取装置１２において読み取りが開始されると、光源２０から射出され、絞り２２で光量調整され、色フィルタ板２４を通過して色調整（例えばＧ光）され、拡散ボックス２６で拡散された読取光がフィルムＡを通過することで、フィルムＡのＧ画像を担持する投影光となり、結像レンズ２８によってＣＣＤセンサ３０に結像され、光電的に読み取られる。ＣＣＤセンサ３０からの出力信号は、アンプ３２で増幅され、Ａ／Ｄ変換器３４によってデジタル信号化され、ＬＵＴ３６でｌｏｇ変換されて濃度信号とされた後、画像処理装置１４に送られ、そのフレームメモリ３８のＧ画像用フレームメモリに記憶される。
次いで、色フィルタ板２４が切り替えられて、Ｒフィルタが光路に作用して、同様にしてＲ画像が読み取られてフレームメモリ３８のＲ画像用フレームメモリに記憶され、同様にＢ画像が読み取られてフレームメモリ３８のＢ画像用フレームメモリに記憶され、読み取りが終了する。


【手続補正５】
【補正対象書類名】明細書
【補正対象項目名】００５６
【補正方法】変更
【補正の内容】
【００５６】
一方、画像処理装置１４において、条件設定部４０のセットアップ部４４は、画像読取装置１２による読み取りが終了した時点で、フレームメモリ３８からデジタル画像信号を読み出し、濃度ヒストグラムの作成や最高濃度および最低濃度や濃度レンジの算出等を行って、ダイナミックレンジ圧縮伸長率αや明部の伸縮率αl や暗部の伸縮率αd などを算出または設定し、さらに第２ＬＵＴ５０のグレイバランス調整テーブル、明るさ補正テーブルおよび階調補正テーブル、および第３ＬＵＴ６０の階調変換テーブルを作成して画像処理条件を設定し、パラメータ統合部４８に出力する。
パラメータ統合部４８は、送られた伸縮率αなどの画像処理条件を、画像処理部４２のＭＵＬ５６に乗数として転送するとともに、各ＬＵＴ５０および６０に転送し、画像処理用のテーブルとして設定する。


【手続補正６】
【補正対象書類名】明細書
【補正対象項目名】００５７
【補正方法】変更
【補正の内容】
【００５７】
画像処理条件が設定されると、画像処理部４２の第２ＬＵＴ５０がフレームメモリ３８から原画像のＲＧＢ各色のデジタル画像信号を読み出し、設定された各テーブルによる処理を行い、次いで、ＭＴＸ５２で色補正が施される。ＭＴＸ５２で色補正されたＲＧＢ各色の画像信号は、各色毎に加算器５９およびＦＩＬ５４に送られる。
ＦＩＬ５４は、各色毎に、送られた画像信号にメディアンフィルタ（ＭＦ）５４ａによるフィルタリング処理を行って、好ましくは、図６に示すように、メディアンフィルタ（ＭＦ）５４ａおよびローパスフィルタ（ＬＰＦ）５４ｂによるフィルタリング処理ならびに重み付け加算手段５４ｃによる演算処理を行って、ボケマスク信号を生成する。こうして生成されたボケマスク信号は、ＭＵＬ５６において、条件設定部４０のパラメータ統合部４８から送られた伸縮率α（αl ，αd ）によって乗算され、ダイナミックレンジの圧縮伸長処理がなされたボケ画像信号に変換される。


【手続補正７】
【補正対象書類名】明細書
【補正対象項目名】００５９
【補正方法】変更
【補正の内容】
【００５９】
オペレータは、モニタ１８に表示された画像を見て検定を行い、必要に応じて調整キー４７を用いて各種の調整を行う。調整キー４７による入力があると、キー入力部４６で伸縮率α等の画像処理条件の補正量が演算されて、パラメータ統合部４８によって、この補正量とセットアップ部４４が設定した画像処理条件とが統合されて、画像処理条件が再設定あるいは変更される。新たな伸縮率αが画像処理部４２のＭＵＬ５６に、その他の新たな画像処理条件がＬＵＴ５０および６０に転送され、ＭＵＬ５６での乗数やＬＵＴ５０、６０で設定されるテーブルの内容が変更され、これらに基づいて上述した画像処理部４２による画像処理が再び行われて、モニタ１８の画像が変化する。


【手続補正８】
【補正対象書類名】明細書
【補正対象項目名】００６１
【補正方法】変更
【補正の内容】
【００６１】
画像記録装置１６が出力画像情報としてダイナミックレンジ圧縮伸長処理済デジタル画像信号を受けると、この処理済デジタル画像信号はドライバ８８に入力され、記録用アナログ画像信号にＤ／Ａ変換される。
画像記録装置１６において、各光源９６から光ビームが射出され、この光ビームがドライバ８８によって記録画像信号に応じて駆動される各ＡＯＭ９４によって記録画像に応じて変調され、ポリゴンミラー９８によって主走査方向に変更され、ｆθレンズ１００を経て、副走査方向に搬送される感光材料Ｚを２次元的に走査露光して潜像を形成する。
露光済感光材料Ｚは、発色現像槽１０６、漂白定着槽１０８、水洗槽１１０で所定の処理を施され、乾燥された後、カッタによってプリント１枚（コマ）に対応する所定長に切断され、仕上りプリントＰとして出力される。
こうして得られた仕上りプリント画像Ｐは、高コントラスト画像であっても、低コントラスト画像であっても、偽輪郭の発生や明部や暗部のつぶれがなく、ダイナミックレンジが適切に圧縮伸長されためりはりのある高画質画像である。


【手続補正９】
【補正対象書類名】明細書
【補正対象項目名】００６４
【補正方法】変更
【補正の内容】
【００６４】
図１１に示す画像再生装置１０Ａにおいては、画像読取装置１２において、出力のための画像情報を得るための画像読取（本スキャン）に先立ち、低解像度で画像を粗に読み取るプレスキャンを行う。画像処理装置１４Ａは、プレスキャンで得られた画像情報から各種の画像処理条件を設定（セットアップ）し、この画像処理条件に応じて本スキャンの画像情報を画像処理して、画像記録装置１６による画像記録ための出力画像情報とする。なお、プレスキャンと本スキャンにおける画像読取方法は、基本的に同様であるが、両者の違いは、読取画像の解像度が異なることだけである。
プレスキャンの際には、ＣＣＤセンサ３０で読み取られた画像は、画像処理装置１４Ａのプレスキャンメモリ６８に接続されるタイミングコントローラ７２による制御で画素が間引され、解像度の低い粗な画像情報とされてプレスキャン画像処理部７０において画像処理される。


【手続補正１０】
【補正対象書類名】明細書
【補正対象項目名】００６５
【補正方法】変更
【補正の内容】
【００６５】
図示例の画像処理装置１４Ａは、画像読取装置１２から入力されるデジタル画像信号に対して、ダイナミックレンジ圧縮伸長処理を含む各種の画像処理を行うものであって、本スキャン画像メモリとして用いられるフレームメモリ３８と、画像処理条件設定部４０と、本スキャン画像の画像処理部４２とに加え、プレスキャンメモリ６８と、プレスキャン画像処理部（以下、表示画像処理部という）７０とを有する。また、プレスキャンメモリ６８およびフレームメモリ３８には、画像情報の画素毎の読み出しを制御するタイミングコントローラ７２が接続される。
画像読取装置１２によるプレスキャンの画像情報はプレスキャンメモリ６８に、本スキャンの画像情報はフレームメモリ３８にそれぞれ送られ、記憶される。
プレスキャンメモリ６８は、基本的に本スキャンメモリであるフレームメモリ３８と同様の構成を有するものであり、共に、画像読取装置１２から供給されたＲ画像情報、Ｇ画像情報およびＢ画像情報を、それぞれ記憶する３つのフレームメモリから構成される。なお、必要に応じて、プレスキャンメモリ６８とフレームメモリ３８の記録容量を異なるものとしてもよい。


【手続補正１１】
【補正対象書類名】明細書
【補正対象項目名】００６７
【補正方法】変更
【補正の内容】
【００６７】
表示画像処理部７０は、プレスキャンメモリ６８に記憶されたプレスキャン画像情報を読み出し、条件設定部４０で設定された画像処理条件に応じた各種の画像処理を施し、モニタ１８表示用の画像情報とする部分で、第２ＬＵＴ７４、ＭＴＸ７６、第３ＬＵＴ７８および信号変換器６２を有する。
ここで第２ＬＵＴ７４は、画像処理部４２の第２ＬＵＴ５０と全く同様の機能を有し、プレスキャンメモリ６８に記憶された画像情報を読み出し、グレイバランスの調整、明るさ補正および階調補正を行う。
ＭＴＸ７６は、画像処理部４２のＭＴＸ５２と全く同様の機能を有し、第２ＬＵＴ７４で処理された画像情報の色補正を行う。


【手続補正１２】
【補正対象書類名】明細書
【補正対象項目名】００６９
【補正方法】変更
【補正の内容】
【００６９】
このようにして、第３ＬＵＴ７８で変換されたプレスキャン画像情報は、出力され、信号変換器６２によってモニタ１８に対応する信号に変換され、さらに、Ｄ／Ａ変換器６４によってＤ／Ａ変換されて、モニタ１８に表示される。
ここで、モニタ１８に表示される画像は、ダイナミックレンジ圧縮伸長処理が施されている場合、画像記録装置１６に送られて再生される仕上りプリント画像Ｐと各種の画像処理や圧縮伸長処理として、同様の処理が施されたものであり、従って、モニタ１８には、仕上りプリント画像Ｐと同様の画像が表示される。
なお、図１１に示す例ではモニタ１８に接続されるマウス６６が省略されている。